【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
オーディオ信号を受信するための受信部と、
前記オーディオ信号からマルチチャネル信号を生成するための生成部であって、前記マルチチャネル信号は、少なくとも１つの第１の信号と少なくとも１つの第２の信号とを含む複数の信号を有する、生成部と、
ラウドスピーカのセットのうちの一のラウドスピーカのための少なくとも１つの駆動信号を有する駆動信号のセットを生成するための駆動部であって、前記駆動信号のセットは、少なくとも前記第１の信号からの第１の信号成分と前記第２の信号からの第２の信号成分とを有する、駆動部と、
前記ラウドスピーカの第１の位置を決定するための位置回路とを有し、
前記駆動部は、第１の基準位置に対する前記第１の位置に基づいて前記第２の信号成分の第２のレベルに対する前記第１の信号成分の第１のレベルを調整するように構成され、
前記駆動部は、第２の基準位置に対する前記第１の位置に基づいて前記第２のレベルに対する前記第１のレベルを調整するように更に構成される、オーディオ装置。
【請求項２】
前記駆動部は、前記ラウドスピーカのための単一の駆動信号に前記第１の信号及び前記第２の信号を組み合わせるための組み合わせ部を有し、前記第２の信号に対する前記第１の信号の重み付けは、前記第１の基準位置に対する前記第１の位置に依存する、請求項１に記載のオーディオ装置。
【請求項３】
前記駆動部は、前記第１の位置と前記第１の基準位置との間の増大された距離のために、前記第２のレベルに対して前記第１のレベルを増大させるように構成される、請求項１に記載のオーディオ装置。
【請求項４】
前記駆動部は、前記第１の位置と前記第１の基準位置との間の増大された距離のために前記第２のレベルに対して前記第１のレベルを増大し、前記第１の位置と前記第２の基準位置との間の減少した距離のために前記第２のレベルに対して前記第１のレベルを増大するように構成される、請求項１に記載のオーディオ装置。
【請求項５】
前記位置回路は、前記ラウドスピーカのセットのうち少なくとも１つのラウドスピーカのラウドスピーカ位置を決定し、前記ラウドスピーカ位置から前記基準位置を決定するように構成される、請求項１に記載のオーディオ装置。
【請求項６】
前記駆動部は、前記ラウドスピーカからレンダリングされるサウンドのためのスピーチ明瞭さ指標を決定し、前記スピーチ明瞭さ指標に基づいて前記第２のレベルに対する前記第１のレベルを調整するように構成される、請求項１に記載のオーディオ装置。
【請求項７】
聴取ゾーンにおけるユーザ存在を示すユーザ存在指標を生成するためのユーザ検出部を更に有し、
前記駆動部は、前記ユーザ存在指標に基づいて前記第２のレベルに対する前記第１のレベルを調整するように構成される、請求項１に記載のオーディオ装置。
【請求項８】
前記ユーザ存在指標は、ユーザ位置を示し、前記駆動部は、第１の聴取ゾーンにおけるユーザ位置を示す前記ユーザ存在指標に基づいて前記第２のレベルに対して前記第１のレベルを低減するように構成される、請求項７に記載のオーディオ装置。
【請求項９】
前記ユーザ存在指標は、ユーザ位置を示し、前記駆動部は、第２の聴取エリアにおけるユーザ位置を示す前記ユーザ存在指標に基づいて前記第２のレベルに対して前記第１のレベルを増大するように構成される、請求項７又は請求項８に記載のオーディオ装置。
【請求項１０】
前記ラウドスピーカを更に有し、
前記ラウドスピーカは、前記第２の信号のための放射パターンとは異なる放射パターンによって前記第１の信号をレンダリングするように構成される、請求項１に記載のオーディオ装置。
【請求項１１】
前記位置回路は、前記ラウドスピーカのセットのうち少なくとも幾つかのラウドスピーカを、少なくとも第１の聴取ゾーンをサポートするラウドスピーカに関連付けられる第１のカテゴリと第２の聴取ゾーンをサポートするラウドスピーカに関連付けられる第２のカテゴリとを有するカテゴリに分類するように構成され、
前記駆動部は、前記ラウドスピーカの分類に基づいて前記第２のレベルに対する前記第１のレベルを決定するように構成される、請求項１に記載のオーディオ装置。
【請求項１２】
前記第１のカテゴリは、前記第２の聴取ゾーンをサポートしないラウドスピーカに関連付けられ、前記第２のカテゴリは、前記第１の聴取ゾーンをサポートしないラウドスピーカに関連付けられ、前記カテゴリは、前記第１の聴取ゾーン及び前記第２の聴取ゾーンの双方をサポートするラウドスピーカに関連付けられる第３のカテゴリを更に有する、請求項１１に記載のオーディオ装置。
【請求項１３】
前記駆動部は、前記ラウドスピーカが前記第１のカテゴリにあるときよりも前記第２のカテゴリにあるときに、前記第２のレベルに対する前記第１のレベルをより高く設定するように構成される、請求項１１に記載のオーディオ装置。
【請求項１４】
前記駆動部は、前記複数のチャネル信号のうちの信号のセットから前記ラウドスピーカのための単一の駆動信号を生成するように構成され、前記信号のセットは、前記ラウドスピーカがどのカテゴリに属しているかに依存する、請求項１１に記載のオーディオ装置。
【請求項１５】
前記駆動部は、前記第１の聴取ゾーンをサポートするラウドスピーカに関連付けられるカテゴリのサブセットにおけるラウドスピーカのみを含むラウドスピーカのセットに渡って複数のチャネル信号を分配するように構成される、請求項１１に記載のオーディオ装置。
【請求項１６】
テストオーディオ信号を生成し、これを前記ラウドスピーカのセットのうち少なくとも１つのラウドスピーカに供給するためのテスト生成部と、
前記ラウドスピーカのセットのうちの一のラウドスピーカに関連付けられるマイクロホン及び聴取ゾーンに関連付けられるマイクロホンのうち少なくとも一方からのマイクロホン信号を受信するためのマイクロホン受信部とを更に有し、
前記位置回路は、前記マイクロホン信号に基づいて前記ラウドスピーカを分類するように構成される、請求項１１に記載のオーディオ装置。
【請求項１７】
調節可能なマルチチャネルラウドスピーカであるラウドスピーカを更に有し、
当該装置は、前記ラウドスピーカの分類に基づいて単一チャネルモードとマルチチャネルモードとの間で前記ラウドスピーカを切替えるように構成される、請求項１１に記載のオーディオ装置。
【請求項１８】
ユーザ位置を示すユーザ位置指標を生成するためのユーザ検出部を更に有し、
前記位置回路は、前記ユーザ位置指標に基づいて前記第１の基準位置を決定するように構成される、請求項１に記載のオーディオ装置。
【請求項１９】
オーディオシステムのための動作の方法であって、
オーディオ信号を受信するステップと、
前記オーディオ信号からマルチチャネル信号を生成するステップであって、前記マルチチャネル信号は、少なくとも１つの第１の信号と少なくとも１つの第２の信号とを含む複数の信号を有する、ステップと、
ラウドスピーカのセットのうちの１つのラウドスピーカのための少なくとも１つの駆動信号を有する駆動信号のセットを生成するステップであって、前記駆動信号のセットは、少なくとも前記第１の信号からの第１の信号成分と前記第２の信号からの第２の信号成分とを有する、ステップと、
前記ラウドスピーカの第１の位置を決定するステップと、
第１の基準位置に対する前記第１の位置に基づいて前記第２の信号成分の第２のレベルに対する前記第１の信号成分の第１のレベルを調整するステップと、
第２の基準位置に対する前記第１の位置に基づいて前記第２のレベルに対する前記第１のレベルを調整するステップを有する、方法。